(57)【要約】【課題】利用者をライブセンサー等によって監視せずに、利用者の安否の確認ができること。【解決手段】他の通信端末装置へ安否情報を送信する安否情報通報装置に対して、安否ボタンの押下を検知するボタン操作検知手段と、設定時刻を含む所定時間帯に安否ボタンの押下があったか否かを判定する安否判定手段と、安否判定手段によって所定時間帯に安否ボタンが押下されたと判定された場合は利用者の識別情報と安否ボタンの押下された時刻を含む安否情報を、または、安否判定手段によって所定時間帯に安否ボタンが押下されなかったと判定された場合は利用者の識別情報を含む安否情報を、他の通信端末装置へ送信する安否情報送信手段と、を備える。【選択図】図２
2010072698.tif 000002
【特許請求の範囲】
【請求項１】
安否ボタンを具備し、利用者が該安否ボタンを押下することにより、通信回線を介して他の通信端末装置へ安否情報を送信する安否情報通報装置であって、
前記安否ボタンの押下を検知するボタン操作検知手段と、
設定時刻を含む所定時間帯に前記安否ボタンの押下があったか否かを判定する安否判定手段と、
前記安否判定手段によって前記所定時間帯に安否ボタンが押下されたと判定された場合は利用者の識別情報と安否ボタンの押下された時刻を含む安否情報を、または、前記安否判定手段によって前記所定時間帯に安否ボタンが押下されなかったと判定された場合は利用者の識別情報を含む安否情報を、前記他の通信端末装置へ送信する安否情報送信手段と、を備えたことを特徴とする安否情報通報装置。
【請求項２】
前記安否判定手段は、前記設定時刻よりも予め定められた時間前に前記安否ボタンのランプを点滅させることを特徴とする請求項１に記載の安否情報通報装置。
【請求項３】
前記安否判定手段は、前記設定時刻の経過によって音または音声メッセージを出力することを特徴とする請求項１または２に記載の安否情報通報装置。
【請求項４】
安否ボタンの押下された時刻が前記所定時間帯に含まれていない場合は、前記設定時刻を現在時刻にセットし、
安否ボタンの押下された時刻が前記所定時間帯に含まれている場合は、現在時刻と前記設定時刻との差が所定値以上ある場合は、前記設定時刻を現在時刻に近づけるように微調整する時刻調整手段を備えたことを特徴とする請求項１乃至３のいずれか一に記載の安否情報通報装置。
【請求項５】
安否情報の送信タイミングを個々に設定可能であり、安否情報送信手段は、前記所定時間帯に安否ボタンの押下を検知したときは、前記送信タイミングまで待って安否情報の送信を行い、前記所定時間帯に安否ボタンの押下を検知しなかったときは、前記所定時間帯後、直ちに安否情報を送信することを特徴とする請求項１乃至４のいずれか一に記載の安否情報通報装置。
【発明の詳細な説明】
【技術分野】
【０００１】
本発明は、独居老人等の安否を通信回線を介して確認する安否情報通報装置に関する。
【背景技術】
【０００２】
従来の安否確認の機能を有する装置としては、たとえばライブセンサーを用いて一定時間内に同センサーからの信号が無い場合に、管理センターあるいは個人の所定の通信端末に自動通報を行う通報装置がある。
たとえば、特許文献１では、既存の換気扇等の電気機器に備えられている人感センサー を利用して安否確認を行う装置が提案されている。この装置は、電源コンセントから居住者を感知する人感センサーを有する換気扇の電源プラグへ流れる電流を検出して、この検出信号が有意となった時刻を求めて当該時刻を示す送信信号を通報装置へ送信するというものである。
【０００３】
特許文献２では、居住者の動きを感知するセンサーからの信号を観測することによって居住者の安否の判断を行い、異常の場合にはメッセージデータを送ることによって、居住者の安否を確認することのできるシステムが提案されている。
【特許文献１】特開２００７−２３３４５２号公報
【特許文献２】特開２００４−２５９０９７号公報
【発明の開示】
【発明が解決しようとする課題】
【０００４】
しかしながら、上記各文献に記載されているようなセンサーを用いて安否確認を行うという手法は、利用者の生活パターン等を把握して対応する必要性がある。またセンサー配置等によりセンサーが働かず誤報を起したり、センサーが誤動作して通報を行わないような事態が発生する虞がある。一方、利用者にとっては、センサーに監視されている等の不満や抑圧感を生じさせることにもなる。
【０００５】
本発明は、上述のかかる事情に鑑みてなされたものであり、利用者をライブセンサー等によって監視せずに、利用者の安否の確認を行うことができる利便性に優れた安否情報通報装置を提供することを目的とする。
【課題を解決するための手段】
【０００６】
本発明に係わる安否情報通報装置は、該安否情報通報装置に安否ボタンを設け、予め記憶手段に設定された時刻に安否ボタンのランプを点滅したり、内蔵するスピーカあるいは外部スピーカからの音、あるいはメッセージにより、独居老人等の利用者に安否ボタンを押下することを促し、利用者は安否ボタンを押すとそのボタンを押下した旨の情報を予め決められたセンター等の他の通報先の受信装置、あるいは一般の固定電話、携帯電話等の受信端末（これらを総称して他の通信端末装置という。）に通報することを特徴とし、他の通信端末装置自体あるいは該通信端末装置の操作者が安否情報通報装置からの通報があれば異常なしと判断することを可能とする。
【０００７】
また、本発明に係わる安否情報通報装置は、他の通信端末装置へ安否情報を送信する安否情報通報装置であって、安否ボタンの押下を検知するボタン操作検知手段と、設定時刻を含む所定時間帯に安否ボタンの押下があったか否かを判定する安否判定手段と、安否判定手段によって所定時間帯に安否ボタンが押下されたと判定された場合は利用者の識別情報と安否ボタンの押下された時刻を含む安否情報を、または、安否判定手段によって所定時間帯に安否ボタンが押下されなかったと判定された場合は利用者の識別情報を含む安否情報を、他の通信端末装置へ送信する安否情報送信手段と、を備えたことを特徴とする。
なお、所定時間帯は、押下時刻のバラツキを検知して、可変にするようにしても良い。
【０００８】
本発明では、安否ボタンの操作の有無によって安否を判定して安否情報を提供するので、利用者はセンサーによって監視されることなく、通報先で利用者の安否の確認が可能となる。
好ましくは、安否判定手段は、設定時刻よりも予め定められた時間前に安否ボタンのランプを点滅させるようにするとよい。これにより、利用者はボタン押下の時間帯の到来を知ることができる。
【０００９】
より好ましくは、安否判定手段は、設定時刻の経過によって音または音声メッセージを出力するようにするとよい。設定時刻が経過しても安否ボタンの押下を検知しない場合は、音や音声メッセージで利用者に通知することにより、より確実に安否ボタンの押下を促すことができる。
また、本発明に係わる安否情報通報装置は、安否ボタンの押下された時刻が所定時間帯に含まれていない場合は、設定時刻を現在時刻にセットし、安否ボタンの押下された時刻が所定時間帯に含まれている場合は、現在時刻と設定時刻との差が所定値以上ある場合は、設定時刻を現在時刻に近づけるように微調整する時刻調整手段を備えたことを特徴とする。
【００１０】
本発明では、所定時間帯（安否確認時間帯）を安否ボタン押下のタイミングで調整することによって、利用者の生活リズムの応じた安否確認を可能とし、利便性の向上と利用の定着を図ることができる。
さらに、本発明に係わる安否情報通報装置は、安否情報の送信タイミングを個々に設定可能であり、安否情報送信手段は、所定時間帯に安否ボタンの押下を検知したときは、送信タイミングまで待って安否情報の送信を行い、所定時間帯に安否ボタンの押下を検知しなかったときは、所定時間帯後、直ちに安否情報を送信することを特徴とする。
【００１１】
本発明では、複数の安否情報通報装置と接続する他の通信端末装置側で受信のタイミングが重なることを防ぐ一方、利用者に異常事態の発生の可能性があるときは、直ちに通報可能にする。
【発明の効果】
【００１２】
以上の如く、本発明によれば、安否確認の通報手段としてライブセンサー等を用いた通報手段によらず、安否情報通報装置に安否ボタンを設け、安否確認時間帯に安否ボタンの押下があったか否かを検知することにより安否判定を行い、この判定結果を他の通信端末装置へ送信することによって、利用者を監視せずに利用者の安否確認を行うことができる。また、利用者によって安否ボタンの押下された時刻が安否確認時間帯に含まれているかどうかを判定することによって、安否確認時間帯を調整するので、利用者は生活のリズムにあわせて安否ボタンの押下操作を行うことができ利便性が向上する。
【発明を実施するための最良の形態】
【００１３】
以下、本発明の実施の形態を説明する。図１は第１の実施の形態による安否情報通報装置１のブロック図である。ここで、安否情報通報装置１は、アナログ公衆電話回線を接続する回線端子２、アナログ電話機の接続端子３、回線切替のためのリレー４（リレー駆動回路を含む）、リレー４の切替接点４ａ、４ｂ、ダイヤルパルス送出するためのリレー５（リレー駆動回路を含む）、ダイヤルパルス送出するリレー接点５ａ、ライントランス６、ＤＴＭＦ信号送出回路７、時計ＩＣ８、安否情報通報装置１全体を制御するワンチップマイコン９、デジタル信号をアナログ信号に変換するＤＡ変換回路１０、スピーカアンプ１１、スピーカ１２、ＬＥＤランプ１３、および、安否ボタン１４を有している。
【００１４】
ワンチップマイコン９は、電気的に消去可能な不揮発性メモリであるＥＥＰＲＯＭ９１を内蔵しており、プログラムやデータを格納し種々の処理を実行する。
図２は、ワンチップマイコン９の機能ブロック図である。中央演算処理部９０は、安否ボタンの操作１４の有無を検知するボタン操作検知手段９２、ボタン操作を検知して安否を判定する安否判定手段９３、センターなど他の通信端末装置へ安否情報を送信する安否情報送信手段９４を有している。各手段９２〜９４は、プログラムによって実現可能な機能である。
【００１５】
また、各リレー４、５は、リレー駆動回路を備えており、ワンチップマイコン９からの出力信号によって、リレー接点４ａ，４ｂ、またはリレー接点５ａを切り替える。常時は、図１に示すようにリレー４は、回線端子２と電話機端子３を接続する方向にリレー接点４ａ，４ｂを切り替え、リレー５はプッシュ回線に接続されるときは、リレー接点５ａをメーク側に接続している。安否情報通報装置１が安否情報を送信するときのみリレー４の接点４ａ，４ｂをライントランス６側に切り替える。
【００１６】
次に、図３を用いて上記の構成を有する安否情報通報装置１の動作を説明する。図３は、上記の安否判定手段９３を中心とした処理手順を示すフローチャートである。
安否判定手段９３は起動されると、まず時計ＩＣ８から現在の時刻情報を読み取り（Ｓ１０１）、予めＥＥＰＲＯＭ９１に書き込まれている設定時刻データと一致したときに（Ｓ１０２で「ＹＥＳ」）、ＬＥＤランプ１３を点滅させ（Ｓ１０３）、かつ予めＥＥＰＲＯＭ９１に書き込まれているメッセージデータを読み出しＤＡ変換回路１０およびアンプ１１を通しスピーカ１２に音声出力する（Ｓ１０４）。この状態で利用者によって安否ボタン１４が押されるとボタン操作検知手段９２によってこれを検知して（Ｓ１０５で「ＹＥＳ」）、安否ボタン１４の押下時刻を記憶すると共にＬＥＤの点滅やガイダンスを停止する（Ｓ１１０，Ｓ１１１）。そして、安否情報送信手段９４によって、回線切替リレー４を駆動して電話端子２をライントランス６側に接続し、管理センターにＤＴＭＦ信号送出回路７より利用者番号と安否ボタンの押下時刻を送信する（Ｓ１１２）。なお、ダイヤル回線の場合は、ダイヤルパルス送出リレー５を動作させて管理センターの通信端末装置と接続する。
【００１７】
一方、ステップＳ１０５で、安否ボタン１４の押下を検知しない場合は、無応答時間をカウントアップして（Ｓ１０６）、このカウント値がＥＥＰＲＯＭ９１に予め設定されているカウント数以上になったか否かを判定し（Ｓ１０７）、この設定カウント数に到達していない場合は（Ｓ１０７で「ＮＯ」）、ステップＳ１０５に戻って以降の処理を繰り返し、設定カウント数に到達した場合は（Ｓ１０７で「ＹＥＳ」）、ＬＥＤの点滅およびガイダンスを停止して（Ｓ１０８，Ｓ１０９）、ステップＳ１０１に戻って上述の処理を繰り返す。
安否情報通報装置１は、以上の処理手順によって安否情報を管理センターへ通報する。
【００１８】
なお、上記の説明では利用者が安否ボタン１４を押したときに管理センターに情報を送っているが、図４の処理手順に示すように、設定された時刻よりある一定時間たっても安否ボタンが押されなかった場合にのみ、管理センターに情報を送るようにしてもよい。あるいは、図５に示すように、安否ボタン１４が押されたときと、一定時間無応答を検出したときの両方のタイミングで、管理センターに通報するようにしても良い。なお、図５では、管理センター側でいずれのタイミングで送信された通報かを識別できるように、ステップＳ３１０では、利用者番号、現在時刻と共に一定時間無応答であったことを示す応答Ｎｏ情報を送信し、ステップＳ３１３では、利用者番号、現在時刻と共に安否ボタン１４が押されたことを示す応答Ｙｅｓ情報を送信する。
【００１９】
以上、本実施の形態によれば、安否ボタンの押下タイミングをＬＥＤやガイダンスによって利用者に通知し、その後一定時間内に安否ボタンの押下があったか否かを検知することによって安否を判定し、その結果を管理センターなどの他の通信端末装置へ送信するので、センサーで利用者を監視することなく安否を確認することができる。
（変形例）
上記の例では安否ボタン１４が押されたことを判断する時刻の範囲が比較的狭いこと（数十分程度）を想定しているが、これを広くし、ＬＥＤ点滅とスピーカからのガイダンス出力のタイミングを変えるようにしても良い。
【００２０】
例えば安否確認の時間帯を午前４時から午後１２時の間のいつでもよいことにし、この時間範囲で一回も安否ボタン１４が押されない状態の間はＬＥＤランプ１３を点滅状態にし、押されるとＬＥＤランプ１３消灯状態とする。ＬＥＤランプ１３が点滅状態のときは、ある一定時刻（例えば２３時４５分）を過ぎるとスピーカ１２から催促のメッセージを一定時間（例えば１５分間）流し、この一定時間の間に安否ボタン１４が押されないと安否ボタン１４の押下が無かったと判定する。管理センターに送る情報は上述と同様とする。これにより、利用者は広い時間帯で安否ボタンを押下すればよく、また押下忘れの場合はスピーカからのメッセージで通知されるので利便性が向上する。
【００２１】
なお、設定時刻は固定ではなく、数字キーを設け自由に変えられるようにし、設定時刻の設定に変更があった場合は、その内容が管理センターに送られるようにしてもよい。これにより、利用者の生活のリズムにあった使用が可能となり、また管理センターに設定時刻の変更を通知することによって安否情報の取得タイミングを知ることができ正確な監視が可能となる。
【００２２】
また、別途不在キーを設け不在キーの操作により、安否ボタン１４の押下の監視あるいは解除をできるようにしてもよい。
また、上記の例では安否情報通装置１の本体に安否ボタン１４を１個設けているが、これを安否情報通装置１の本体から有線あるいは無線で接続された複数個の安否ボタンを設けるようにしてもよい。たとえば、安否ボタン１４とスピーカ１２を時計に設け、設定時刻データ９６を起床時刻に設定しておけば、この時計を目覚まし時計として利用することができ、同時に安否確認も行うことができる。
【００２３】
次に本発明の第２の実施の形態を説明する。
本実施の形態は、設定時間データを安否情報通報装置ごとに可変にするものである。安否情報通報装置１のハードウェア構成は図１に示す第１の実施の形態と同様である。
図６は、本実施の形態によるワンチップマイコン９の機能ブロック図である。図２との主な違いは、安否確認ボタン押下の通知タイミングを利用者の生活リズムの変化に合せてずらしていく時刻調整手段９５を設け、また、安否判定手段９３と、安否情報送信手段９４の処理手順を後述の如く変えたことである。
【００２４】
また、ＥＥＰＲＯＭ９１に時刻管理テーブル９９を設け、図１０に示すように安否確認の基準時刻となる設定時刻（ｔ）のほか、ＬＥＤランプ１３の点滅時間（ｔ１）、スピーカ１２へのガイダンス出力時間（ｔ２）、設定時刻を調整する際の不感帯時間（ｔ３）と微調整時間（Δｔ）、安否情報の送信時刻（ｔ４）をそれぞれ保存しておく。なお、不感帯時間（ｔ３）は微調整時間（Δｔ）よりも大きな値となるように設定する。なお、設定時刻（ｔ）は、第１の実施の形態の設定時刻データに相当し、ガイダンス出力時間（ｔ２）は第１の実施の形態の無応答時間カウント数データに相当する。
【００２５】
以下、本実施の形態による安否情報通報装置１の動作を第１の実施の形態との違いを中心に説明する。
（安否判定処理）
図７は、安否判定手段９３の処理手順を示すフローチャートである。安否判定手段９３は起動されると、まず時計ＩＣ８より現在時刻を読み取り（Ｓ４０１）、現在時刻が設定時刻（ｔ）から点滅時間（ｔ１）を引いた時刻に到達したか否かを判定し（Ｓ４０２）、到達した場合は（Ｓ４０２で「ＹＥＳ」）、ＬＥＤの点滅を開始する（Ｓ４０３）。そして、ボタン操作検知手段９２を介して安否ボタンが押されたか否かを判定し（Ｓ４０４）、安否ボタンが押された場合は、ＬＥＤの点滅とガイダンス出力を停止して（Ｓ４１５，Ｓ４１６）、応答Ｙｅｓ情報を引数としてセットして（Ｓ４１７）、安否情報送信手段９４を起動する（Ｓ４１３）。その後、次の起動タイミングになるまで所定時間遅延して（Ｓ４１４）、ステップＳ４０１に戻って以降の処理を繰り返す。
【００２６】
一方、ステップＳ４０４で安否ボタンが押されなかった場合は（Ｓ４０４で「ＮＯ」）、現在時刻が設定時刻（ｔ）に到達したか否かを判定し（Ｓ４０５）、到達していない場合はステップＳ４０４へ戻り、到達した場合は（Ｓ４０５で「ＹＥＳ」）、スピーカ１２からガイダンスの出力を開始する（Ｓ４０６）。次に、安否ボタンが押されたか否かを判定し（Ｓ４０７）、押された場合は（Ｓ４０７で「ＹＥＳ」）、ステップＳ４１５へ移行して以後の処理を繰り返し、押されていない場合は（Ｓ４０７で「ＮＯ」）、無応答時間をカウントアップする（Ｓ４０８）。そして、無応答時間が時刻管理テーブル９９に保存されているガイダンス出力時間（ｔ２）に到達したか否かを判定し（Ｓ４０９）、到達していない場合は、ステップＳ４０７へ戻り、到達した場合は（Ｓ４０９で「ＹＥＳ」）、ＬＥＤ点滅とガイダンス出力を停止し（Ｓ４１０，Ｓ４１１）、応答Ｎｏ情報を引数としてセットして（Ｓ４１７）、安否情報送信手段９４を起動する（Ｓ４１３）。その後、次の起動タイミングになるまで所定時間遅延して（Ｓ４１４）、ステップＳ４０１に戻って以降の処理を繰り返す。
（安否情報送信処理）
次に上記のステップＳ４１３によって、起動される安否情報送信手段９４の処理手順を図８を用いて説明する。
【００２７】
安否情報送信手段９４は起動されると、まず、時計ＩＣから現在時刻を読み取って、これを記録し（Ｓ５０１）、次に安否判定手段９３から引数として与えられた情報が応答Ｙｅｓ情報か否かを判定する（Ｓ５０２）。応答Ｙｅｓ情報の場合は、送信時刻（ｔ４）まで遅延して（Ｓ５０３）、送信時刻に到達すると、リレー４を電話機端子３側からライントランス６側へ切り替えて、ＤＴＭＦ信号送出回路７を介してＤＴＭＦ信号を送出して管理センターの通信端末装置と接続して、ＥＥＰＲＯＭ９１に保存されている利用者番号とステップＳ５０１で記録した時刻および応答Ｙｅｓ情報を管理センターへ通報する（Ｓ５０４）。一方、ステップＳ５０２で、安否判定手段９３から引数として与えられた情報が応答Ｎｏ情報の場合は、直ちに、利用者番号とステップＳ５０１で記録した時刻および応答Ｎｏ情報を管理センターへ通報する（Ｓ５０５）。
（時刻調整処理）
次に、図９を用いて、時刻調整手段９５の処理手順を説明する。時刻調整手段９５は、ボタン操作検知手段９２が安否ボタン１４の押下を検知することによって起動する。時刻調整手段９５は起動すると、まず時計ＩＣ８より現在時刻読み取り（Ｓ６０１）、その時刻が、ｔ―ｔ１時刻と、ｔ＋ｔ２時刻の間にあるか否かを判定する（Ｓ６０２）。
【００２８】
ステップＳ６０２でＮＯの場合は、設定時刻（ｔ）に現在時刻をセットして（Ｓ６０７）終了する。
ステップＳ６０２でＹＥＳの場合は、現在時刻と設定時刻（ｔ）との差は不感帯時間（ｔ３）以上か否かを判定し（Ｓ６０３）、不感帯時間以上の場合は次に現在時刻は設定時刻より大きいか否かを判定する（Ｓ６０４）。その結果、現在時刻が設定時刻より大きい場合は、設定時刻（ｔ）に微調整時間（Δｔ）を加えた時刻を新たな設定時刻（ｔ）としてセットし（Ｓ６０５）、現在時刻が設定時刻より小さい場合は、設定時刻（ｔ）から微調整時間（Δｔ）を差し引いた時刻を新たな設定時刻（ｔ）としてセットする（Ｓ６０６）。すなわち、設定時刻（ｔ）を微調整時間（Δｔ）分だけ現在時刻に近づける処理を実行する。
【００２９】
なお、上記の処理は、固定の微調整時間分だけずらすようにしたが、現在時刻と設定時刻との差に基づいて、一定の比率でずらすようにしてもよい。
以上の処理によって、安否確認時間帯（ｔ−ｔ１〜ｔ＋ｔ２）にないときに、安否ボタン１４が押されたときは、その時刻が新たな設定時間となるように調整し、安否確認時間帯にあるときは、押された時刻に近づけるように微調整する。また、安否ボタン１４が押された時刻と設定時刻の差が所定値（ｔ３）以下の場合は時刻調整を行わないようにする。
【００３０】
本実施の形態によれば、第１の実施の形態の効果に加えて、利用者の生活リズムに合せて設定時刻を調整して安否確認を行うことができるので、より利便性が向上する。また、安否確認時間帯に安否ボタンが押されたときは、予め設定された送信タイミングで管理センターに送信するので、安否情報通報装置ごとに異なる送信タイミングを設定しておくことによって管理センター側での通報の集中を回避することができる。その一方、安否確認時間帯に安否ボタンが押されない場合は直ちに管理センターに通報するので利用者の異常事態を迅速に検知することができる。
【００３１】
また、管理センターで受信時刻のトレンドを監視することによって、応答Ｙｅｓ情報が続いた場合でも利用者の生活のリズムの変化から異常の兆候を知ることができる。
【図面の簡単な説明】
【００３２】
【図１】本発明の第１の実施の形態による安否情報通報装置のブロック図である。
【図２】図１のワンチップマイコン９の機能ブロック図である。
【図３】本発明の第１の実施の形態による安否情報通報装置の処理手順を示すフローチャートである。
【図４】本発明の第１の実施の形態の他の実施例による安否情報通報装置の処理手順を示すフローチャートである。
【図５】本発明の第１の実施の形態のさらに他の実施例による安否情報通報装置の処理手順を示すフローチャートである。
【図６】本発明の第２の実施の形態によるワンチップマイコン９の機能ブロック図である。
【図７】図６の安否判定手段９３の処理手順を示すフローチャートである。
【図８】図６の安否情報送信手段９４の処理手順を示すフローチャートである。
【図９】図６の時刻調整手段９５の処理手順を示すフローチャートである。
【図１０】図６の時刻管理テーブル９９のデータ構成図である。
【符号の説明】
【００３３】
１  安否情報通報装置  
２  アナログ公衆電話回線を接続する回線端子
３  アナログ電話機の接続端子
４  回線切替のためのリレーおよびリレー駆動回路
４ａ，４ｂ  リレー４の切替接点
５  ダイヤルパルス送出するためのリレーおよびリレー回路
５ａ  ダイヤルパルス送出するリレー５の接点
６  ライントランス
７  ＤＴＭＦ信号送出回路
８  時計ＩＣ
９  ワンチップマイコン
１０  ＤＡ変換回路
１１  スピーカアンプ
１２  スピーカ
１３  ＬＥＤランプ
１４  安否ボタン
９０  央演算処理部
９１  メモリ（ＥＥＰＲＯＭ）
９２  ボタン操作検知手段
９３  安否判定手段
９４  安否情報送信手段
９５  時刻調整手段
９６  設定時刻データ
９７  無応答時間カウント数データ
９８  メッセージデータ
９９  時刻管理テーブル
【図１】
2010072698.tif 000003
【図２】
2010072698.tif 000004
【図３】
2010072698.tif 000005
【図４】
2010072698.tif 000006
【図５】
2010072698.tif 000007
【図６】
2010072698.tif 000008
【図７】
2010072698.tif 000009
【図８】
2010072698.tif 000010
【図９】
2010072698.tif 000011
【図１０】
2010072698.tif 000012